(57)【要約】【課題】  環境に優しく高効率で高温の送出を行う簡潔構造の高効率暖房機を提供すること。【解決手段】  本発明の高効率暖房機１０は、貯留した水の給水を行う給水タンク２４と、給水タンク２４より供給される水を貯留する環状タンク３１と、環状タンク３１に複数設けられ、環状タンクより押し上げられた水より発生させた水蒸気を螺旋状に移動させて過熱し過熱水蒸気を発生する過熱水蒸気発生ユニット３０と、過熱水蒸気を外部に送出する電動ファン２６とを備えることとした。【選択図】図１
2012159279.tif 000002
【特許請求の範囲】
【請求項１】
貯留した水の給水を行う給水タンクと、前記給水タンクより供給される水を貯留するタンクと、前記タンクに複数設けられ、前記タンクより押し上げられた水より発生させた水蒸気を螺旋状に移動させて過熱し過熱水蒸気を発生する過熱水蒸気発生ユニットと、前記過熱水蒸気を外部に送出する電動ファンとを備えたことを特徴とする高効率暖房機。
【請求項２】
前記過熱水蒸気発生ユニットは、前記タンクより押し上げられた前記水を貯留する環状容器と、前記環状容器より上部が突出し前記環状容器の内側に装着する螺旋形状の加熱管と、前記螺旋形状の加熱管の下側に沿って当接して前記水蒸気を螺旋状にガイドする螺旋形状の水蒸気過熱ガイド板とを備えたことを特徴とする請求項１に記載の高効率暖房機。
【請求項３】
前記水蒸気過熱ガイド板は、前記螺旋形状の加熱管の下側に沿って連続して設けられる連続螺旋形状とすることを特徴とする請求項２に記載の高効率暖房機。
【請求項４】
前記水蒸気過熱ガイド板は、前記螺旋形状の加熱管の下側に沿って複数設けられる一周分の環状コの字の螺旋形状とすることを特徴とする請求項２に記載の高効率暖房機。
【請求項５】
前記環状容器は、前記タンクの上面部に明けられた上側円形穴に下端が固定される外側円筒部と、前記タンクの下面に明けられた下側円形穴に下端が固定される内側円筒部と、前記外側円筒部と前記内側円筒部との間の上面を塞ぎ、周方向に複数の吐出穴を形成する環状上面部とを設けたことを特徴とする請求項２に記載の高効率暖房機。
【請求項６】
前記環状容器を囲むとともに、前記環状容器より上方に突出した前記螺旋形状の加熱管の上方突出部を囲む外筒部を設けたことを特徴とする請求項２に記載の高効率暖房機。
【請求項７】
前記外筒部を囲む外側外筒部を設けるとともに、前記外筒部に内部と連通するスリットを形成したたことを特徴とする請求項６に記載の高効率暖房機。
【発明の詳細な説明】
【技術分野】
【０００１】  本発明は、環境に優しく高効率で高温の送出を行う簡潔構造の高効率暖房機に関する。
【背景技術】
【０００２】  従来の暖房機には、外部から吸入した空気を電熱ヒータで加熱しファンで外部に送出する電熱ヒータ式の暖房機がある（例えば、特許文献１参照）。
【先行技術文献】
【特許文献】
【０００３】
【特許文献１】  特開２００１−２６３８２３号公報
【発明の概要】
【発明が解決しようとする課題】
【０００４】  しかしながら、従来の電熱ヒータ式の暖房機は、二酸化炭素を発生することがなく環境に優しくすることはできるが、外部から吸入した空気を電熱ヒータで加熱するため熱容量は小で暖房効率も低いという問題があった。また、熱容量を増大するためには電熱ヒータを大型化または複数設ける必要があり複雑構造となるという問題もあった。
本発明は、上記に鑑みてなされたものであって、環境に優しく高効率で高温の送出を行う簡潔構造の高効率暖房機を提供することを目的とする。
【課題を解決するための手段】
【０００５】  本発明の高効率暖房機は、貯留した水の給水を行う給水タンクと、前記給水タンクより供給される水を貯留するタンクと、前記タンクに複数設けられ、前記タンクより押し上げられた水より発生させた水蒸気を螺旋状に移動させて過熱し過熱水蒸気を発生する過熱水蒸気発生ユニットと、前記過熱水蒸気を外部に送出する電動ファンとを備えることとした。
また、前記過熱水蒸気発生ユニットは、前記タンクより押し上げられた前記水を貯留する環状容器と、前記環状容器より上部が突出し前記環状容器の内側に装着する螺旋形状の加熱管と、前記螺旋形状の加熱管の下側に沿って当接して前記水蒸気を螺旋状にガイドする螺旋形状の水蒸気過熱ガイド板とを備えることとした。
また、前記水蒸気過熱ガイド板は、前記螺旋形状の加熱管の下側に沿って連続して設けられる連続螺旋形状とすることとした。
また、前記水蒸気過熱ガイド板は、前記螺旋形状の加熱管の下側に沿って複数設けられる一周分の環状コの字の螺旋形状とすることとした。
また、前記環状容器は、前記タンクの上面部に明けられた上側円形穴に下端が固定される外側円筒部と、前記タンクの下面に明けられた下側円形穴に下端が固定される内側円筒部と、前記外側円筒部と前記内側円筒部との間の上面を塞ぎ、周方向に複数の吐出穴を形成する環状上面部とを設けることとした。
また、前記環状容器を囲むとともに、前記環状容器より上方に突出した前記螺旋形状の加熱管の上方突出部を囲む外筒部を設けることとした。
さらに、前記外筒部を囲む外側外筒部を設けるとともに、前記外筒部に内部と連通するスリットを形成することとした。
【発明の効果】
【０００６】  本発明の高効率暖房機は、貯留した水の給水を行う給水タンクと、前記給水タンクより供給される水を貯留するタンクと、前記タンクに複数設けられ、前記タンクより押し上げられた水より発生させた水蒸気を螺旋状に移動させて過熱し過熱水蒸気を発生する過熱水蒸気発生ユニットと、前記過熱水蒸気を外部に送出する電動ファンとを備えることとしたため、簡潔構造で環境に優しく高効率で高温の送出を行うことができる。
また、前記過熱水蒸気発生ユニットは、前記タンクより押し上げられた前記水を貯留する環状容器と、前記環状容器より上部が突出し前記環状容器の内側に装着する螺旋形状の加熱管と、前記螺旋形状の加熱管の下側に沿って当接して前記水蒸気を螺旋状にガイドする螺旋形状の水蒸気過熱ガイド板とを備えることとしたため、発生した水蒸気をまんべんなく効率的に過熱し過熱水蒸気を得ることができ、環境に優しく高効率で高温の送出を行う簡潔構造の高効率暖房機とすることができる。
また、前記水蒸気過熱ガイド板は、前記螺旋形状の加熱管の下側に沿って連続して設けられる連続螺旋形状とすることとしたため、発生した水蒸気をまんべんなくより効率的に過熱し過熱水蒸気を得ることができる。
また、前記水蒸気過熱ガイド板は、前記螺旋形状の加熱管の下側に沿って複数設けられる一周分の環状コの字の螺旋形状とすることとしたため、発生した水蒸気を簡潔構造で効率的に過熱し過熱水蒸気を得ることができる。
また、前記環状容器は、前記タンクの上面部に明けられた上側円形穴に下端が固定される外側円筒部と、前記タンクの下面に明けられた下側円形穴に下端が固定される内側円筒部と、前記外側円筒部と前記内側円筒部との間の上面を塞ぎ、周方向に複数の吐出穴を形成する環状上面部とを設けることとしたため、効果的に水蒸気を発生することができる。
また、前記環状容器を囲むとともに、前記環状容器より上方に突出した前記螺旋形状の加熱管の上方突出部を囲む外筒部を設けることとしたため、過熱水蒸気を効果的に発生することができる。
さらに、前記外筒部を囲む外側外筒部を設けるとともに、前記外筒部に内部と連通するスリットを形成することとしたため、スリットを介し水蒸気が送出され、外筒部と外側外筒部の隙間からまんべんなく過熱水蒸気を送出することができる。
【図面の簡単な説明】
【０００７】
【図１】  本発明の第１の実施形態の高効率暖房機の正面図を示す。
【図２】  本発明の第１の実施形態の高効率暖房機の内部構造の図を示し、図２（ａ）は内部構造の正面図を示し、図２（ｂ）は内部構造の平面図を示す。
【図３】  本発明の第１の実施形態の高効率暖房機で用いられる過熱水蒸気発生ユニットが環状タンクに取付けられたときの過熱水蒸気発生ユニットの縦断面図を示す。
【図４】  過熱水蒸気発生ユニットに取付けられる螺旋形状の水蒸気過熱ガイド板の平面図を示す。
【図５】  過熱水蒸気発生ユニットに取付けられる平面形状の水蒸気過熱ガイド板の他の実施例を示し、図５（ａ）は、他の実施例の平面図を示し、図５（ｂ）は、他の実施例の側面図を示す。
【図６】  本発明の第１の実施形態の高効率暖房機の過熱水蒸気発生ユニットに外側外筒部を設けたときの他の実施例の縦断面図を示す。
【図７】  外筒部を囲む外側に外側外筒部が設けられたときの他の実施例の一部切り欠きの縦断面図を示す。
【図８】  本発明の第２の実施形態の高効率暖房機の正面図を示す。
【図９】  本発明の第２の実施形態の高効率暖房機の内部構造の図を示し、図９（ａ）は内部構造の正面図を示し、図９（ｂ）は内部構造の側面図を示す。
【発明を実施するための形態】
【０００８】  以下、本発明の第１の実施の形態の高効率暖房機につき説明する。
【実施例１】
【０００９】  図１は、本発明の第１の実施形態の高効率暖房機の正面図を示す。
図１に示すように、本発明の高効率暖房機１０は、外側ケースである筐体１１の正面には外部より空気の吸入を行う吸入口１３が設けられ、筐体１１の上面には、高温の排出を行う排出口１２と、電源スイッチや操作スイッチなどの操作盤１４と、使用する水を供給するとき使用する開閉蓋１５とが設けられ、筐体１１の側面には移動用の取手１６が設けられている。【００１０】  図２は、本発明の第１の実施形態の高効率暖房機の内部構造の図を示し、図２（ａ）は内部構造の正面図を示し、図２（ｂ）は内部構造の平面図を示す。
図２に示すように、本発明の高効率暖房機１０は、外側ケースの筐体１１の底面１１ａに断面がコ字形の取付基台２１が取り付けられ、取付基台２１の上面には、使用する水を貯水する貯水タンク２２と、貯水タンク２２から供給される水を貯留し給水を行う給水タンク２４と、給水タンク２４より供給された水を貯留する環状タンク３１とが設置されている。貯水タンク２２に使用する水を貯水するときには、図１に示す開閉蓋１５を開きキャップ２２ａを外し、給水を行う。【００１１】  環状タンク３１は、送風が行われる貫通穴３６が上下方向に明けられ、環状形状の上面には環状タンク３１と内部で連通すると共に環状タンク３１を貫通した６個の過熱水蒸気発生ユニット３０が外周に沿って設けられている。取付基台２１の下面には、環状タンク３１の貫通穴３６と、過熱水蒸気発生ユニット３０の内側とを通過させ送風を行う外側が円錐形状の送風ダクト２５が取付基台２１に明けられた貫通穴２１ａの位置を中心として設置され、送風ダクト２５の下側には送風ダクト２５の送風源である電動ファン２６が設けられている。電動ファン２６には、吸入口２８よりの空気の送風用の電動モータ２７が設けられている。電動ファン２６は、送風ダクト２５を介し環状タンク３１の貫通穴３６を通過させる送風を行うことができる。
６個の過熱水蒸気発生ユニット３０には、側面から覆う円筒形状の排出ダクト２９が設けられている。排出ダクト２９は、過熱水蒸気発生ユニット３０の側方では円筒形状となり、上方では円錐状の形状となり、上端部には排出口１２が設けられている。排出口１２の排出面は、碁盤形状、縦縞形状、横縞形状などとすることができ、排出面には発熱体となる塗料を塗布し、発熱効果を高めることができる。【００１２】  貯水タンク２２と給水タンク２４とは、連結管２３により連結され、給水タンク２４に設置したフロート（図示せず）により連結管２３に取付けた電磁弁２３ａが開閉し、給水タンク２４は水面が一定に制御される。給水タンク２４と環状タンク３１とは連結管２３ｂにより連結され、給水タンク２４から環状タンク３１に給水が行はれる。
取付基台２１の上面に設置された環状タンク３１と、取付基台２１の下面に設置された送風ダクト２５とは、取付基台２１に明けられた貫通穴２１ａの位置に取付基台２１を挟みネジ２５ａにより固定されている。送風ダクト２５の下側と電動ファン２６の上側とはネジ２５ｂにより固定されている。【００１３】  図３は、本発明の第１の実施形態の高効率暖房機で用いられる過熱水蒸気発生ユニットが環状タンクに取付けられたときの過熱水蒸気発生ユニットの縦断面図を示す。
図３に示すように、過熱水蒸気発生ユニット３０は、環状容器３３の内側に加熱器である螺旋形状の加熱管３４が装着され、螺旋形状の加熱管３４により加熱される環状容器３３の外側には螺旋形状の加熱管３４の高さの外筒部３２が装着されている。環状容器３３は、環状形状の外側円筒部３３ａが環状タンク３１の上面部３１ａに明けられた上側円形穴３７ａに嵌合して固定され、環状形状の内側円筒部３３ｂが環状タンク３１の下面部３１ｂに明けられた下側円形穴３７ｂに嵌合して固定されている。そのため、環状タンク３１と環状容器３３とは一体化されて内部同士が連通し、環状タンク３１に貯留した水Ｗａは環状容器３３に供給され、環状容器３３は水Ｗｂを貯留する。
図２に示す給水タンク２４は、前記したごとく水面の高さが一定に制御されているため、環状容器３３に貯留する水Ｗｂは、給水タンク２４に貯留した水の水圧により環状タンク３１を介し所定の水面の高さＨまで押し上げられ、一定の高さが常に保たれている。
また、環状容器３３は、外側円筒部３３ａと内側円筒部３３ｂとの間の上面を塞ぐ上面部３３ｃに複数の吐出穴（図示せず）が周方向に設けられ、螺旋形状の加熱管３４により加熱されたとき、吐出穴から水蒸気が発生する。さらに、環状容器３３より発生した水蒸気をまんべんなく効率的に過熱し過熱水蒸気を得るため、螺旋形状の加熱管３４の下側に沿って当接し水蒸気を螺旋状にガイドし過熱する螺旋形状の水蒸気過熱ガイド板３５が設けられている。【００１４】  図４は、過熱水蒸気発生ユニットに取付けられる螺旋形状の水蒸気過熱ガイド板の平面図を示す。
図４に示す螺旋形状の水蒸気過熱ガイド板３５は、図３のＡＡ断面図を示し、螺旋形状の加熱管３４の下側に沿って当接して設けられている。そのため、螺旋形状の加熱管３４より発生した熱が螺旋形状の水蒸気過熱ガイド板３５に伝達され、図３に示す環状容器３３より発生した水蒸気が螺旋形状の水蒸気過熱ガイド板３５に沿ってガイドされて流れ、発生した水蒸気をまんべんなく効率的に過熱し過熱水蒸気を得ることができる。
なお、螺旋形状の水蒸気過熱ガイド板３５には、図３に示すように外側に外筒部３２が装着されているが、外筒部３２の内側に外周部を当接することにより、外筒部３２に直接熱を伝達でき、発生した水蒸気をより効率的に過熱することができる。また、螺旋形状の水蒸気過熱ガイド板３５は、螺旋形状の加熱管３４に上方からねじ込みながら容易に設置することができ、さらに、螺旋形状の加熱管３４の下側に沿って部分的に設置することもできる。【００１５】  図５は、過熱水蒸気発生ユニットに取付けられる平面形状の水蒸気過熱ガイド板の他の実施例を示し、図５（ａ）は、他の実施例の平面図を示し、図５（ｂ）は、他の実施例の側面図を示す。
図５（ａ）に示すように、他の実施例の平面形状の水蒸気過熱ガイド板３８は、平面状の金属板から形成し、螺旋形状の加熱管３４の下側に沿って複数設けられる切欠部３８ａが形成された一周分の環状コの字の平面形状としたものである。図５（ｂ）に示すように、平面形状の水蒸気過熱ガイド板３８は、矢印Ｐに示すように交互に折り曲げられ螺旋形状となり、切欠部３８ａが螺旋形状の加熱管３４を横切り、螺旋形状の加熱管３４の下側に沿って横側から装着される。水蒸気過熱ガイド板３８は、必要に応じ複数枚を連続的に装着することも、間欠的に装着することもできる。
そのため、螺旋形状の加熱管３４より発生した熱が螺旋形状となった水蒸気過熱ガイド板３８に伝達され、水蒸気過熱ガイド板３５と同様に環状容器３３より発生した水蒸気が螺旋形状の水蒸気過熱ガイド板３８に沿ってガイドされて流れ、発生した水蒸気をまんべんなく効率的に過熱し過熱水蒸気を得ることができる。
なお、水蒸気過熱ガイド板３８も螺旋形状の水蒸気過熱ガイド板３５と同様に外側に外筒部３２が装着されており、外筒部３２の内側に外周部を当接することにより、外筒部３２に直接熱を伝達でき、より効果的に発生した水蒸気を効率的に過熱することができる。【００１６】  図６は、本発明の第１の実施形態の高効率暖房機の過熱水蒸気発生ユニットに外側外筒部を設けたときの他の実施例の縦断面図を示す。
図６に示すように、他の実施例の過熱水蒸気発生ユニット３０は、環状容器３３の内側に加熱器である螺旋形状の加熱管３４が装着され、環状容器３３の外側には外筒部３２が装着されているが、さらに、外筒部３２を囲む外側外筒部３９が設けられるとともに、外筒部３２には、内部と連通するスリットが形成されている。外筒部３２と、外筒部３２を囲む外側外筒部３９の隙間から、矢印Ｋ１に示すように過熱水蒸気を送出することができる。
また、他の実施例の過熱水蒸気発生ユニット３０は、螺旋形状の加熱管３４の下方側の内側に吸入空気のガイド筒４０が設けられているため、より効果的に螺旋形状の加熱管３４より環状容器３３を加熱することができるとともに、吸入空気をより円滑に送付することができる。【００１７】  図７は、外筒部を囲む外側に外側外筒部が設けられたときの他の実施例の一部切り欠きの縦断面図を示す。
図７に示すように、過熱水蒸気発生ユニット３０の外筒部３２を囲む外側に外側外筒部３９が設けられているとともに、外筒部３２には、内部と連通する螺旋形状のスリット３９ａが形成されている。そのため、外筒部３２の内側からスリット３９ａを介し水蒸気が送出され、外筒部３２と、外筒部３２を囲む外側外筒部３９の隙間にから、矢印Ｋ１に示すようにまんべんなく過熱水蒸気を送出することができる。【００１８】  次に、暖房が行われるとき過熱水蒸気発生ユニット３０の動作につき図１〜７により説明する。
貯水タンク２２には、開閉蓋１５を開きキャップ２２ａを外し、使用する水を貯水する。貯水タンク２２に貯留の水は、給水タンク２４に供給され、さらに、給水タンク２４より環状タンク３１に供給される。環状タンク３１に貯留した水Ｗａは、環状タンク３１と環状容器３３とが内部同士で連通しているため環状容器３３に供給され、環状容器３３は水Ｗｂを貯留する。環状容器３３に貯留した水Ｗｂは、給水タンク２４に貯留した貯留水の水圧により環状容器３３の所定の水面の高さＨまで押し上げられている。
外側ケースの筐体１１の上面に設けられた操作盤１４の電源スイッチを操作すると、環状容器３３の内側に装着された螺旋形状の加熱管３４が高温となり環状容器３３を加熱し、環状容器３３に貯留の水Ｗｂが蒸気となり吐出穴（図示せず）より吐出するが、発生した蒸気は、外筒部３２の内側で螺旋形状の水蒸気過熱ガイド板３５に当接しながら螺旋状にガイドされて過熱され、高温の過熱水蒸気Ｋとなる。
過熱水蒸気Ｋは、水蒸気をさらに過熱して１００℃以上にしたものであり、ここでは常圧で２５０℃の過熱水蒸気を使用する。過熱水蒸気Ｋは、環状タンク３１の貫通穴３６より送られたエアーと混合されてエアーとともに送出され、排出ダクト２９を介し外側ケースの筐体１１の上面に設けた排出口１２から外部に排出する。
排出口１２から外部に送出する出力の温度は送風源である電動ファン２６の風量を制御することにより調整することができる。
環状容器３３に貯留の水Ｗｂは、蒸気となり減少しても、給水タンク２４に設置したフロートにより連結管２３に取付けた電磁弁２３ａが開閉し、給水タンク２４の水面が一定に制御されているため、水面の高さＨが常に一定に保たれ、過熱水蒸気を連続的に変動することなく的確に送出することができる。【００１９】  以上述べたように、本発明の高効率暖房機１０は、貯留した水の給水を行う給水タンク２４と、給水タンク２４より供給される水を貯留する環状タンク３１と、環状タンク３１に複数設けられ、環状タンク３１より押し上げられた水より発生させた水蒸気を螺旋状に移動させて過熱し過熱水蒸気を発生する過熱水蒸気発生ユニット３０とを設け、過熱水蒸気を外部に送出することとしたため、簡潔構造で環境に優しく高効率で高温の送出を行うことができる。
また、過熱水蒸気発生ユニット３０には、螺旋形状の加熱管の下側に沿って当接して水蒸気を螺旋状にガイドする水蒸気過熱ガイド板３５を設けているため、発生した水蒸気をまんべんなく効率的に過熱し過熱水蒸気を得ることができ、環境に優しく高効率で高温の送出を行う簡潔構造の高効率暖房機とすることができる。
また、外筒部３２の外側に外側外筒部３９を設けることができるとともに、外筒部３２には、内部と連通する螺旋形状のスリット３９ａを形成することができるため、外筒部３２の内側からスリット３９ａを介し水蒸気が送出され、外筒部３２と、外筒部３２と外側外筒部３９の隙間から、まんべんなく過熱水蒸気を送出することができる。
さらに、過熱水蒸気発生ユニット３０は、螺旋形状の加熱管３４の下方側の内側に吸入空気のガイド筒４０を設けることができるため、より効果的に螺旋形状の加熱管３４より環状容器３３を加熱することができるとともに、吸入空気をより円滑に送付することができる。
なお、本発明の高効率暖房機１０は、６個の過熱水蒸気発生ユニット３０を環状タンク３１に一体として設けることとしたが、これに限定することなく、複数個を設けるようにすることもできる。
また、環状容器３３の内側に螺旋形状の加熱管３４を装着することとしたが、これに限定することなく、螺旋形状の水蒸気過熱ガイド板３５が取付可能の各種の加熱器を装着することもできる。
また、フロートにより給水タンク２４の水面を常に一定に保つ制御を行うこととしたが、これに限定することなく、水面センサなどにより制御を行うこともできる。
また、環状形状の外側円筒部３３ａは、上側円形穴３７ａに嵌合して固定することとしたが、下側に伸ばし下端部を下面部３１ｂに当接させ、環状タンク３１内の側面に水Ｗａの通過穴を設けるようにすることも、下面部３１ｂに近接させ水Ｗａの通過する隙間を設けるようにすることもできる。
また、外筒部３２に内部と連通する螺旋形状のスリット３９ａを形成したが、これに限定されることなく、間欠的スリットにすることも穴形状にすることもできる。
さらに、貯水タンク２２に貯留の水を給水タンク２４に供給することとしたが、これに限定することなく、水道水などを給水タンク２４に直接供給し、給水タンク２４に設置したフロートにより水道管に取付ける電磁弁を開閉し、給水タンク２４の水面を一定に制御し、過熱水蒸気を連続的に送出することもでき、ビニールハウスなどの利用に有効である。
【実施例２】
【００２０】  図８は、本発明の第２の実施形態の高効率暖房機の正面図を示す。
図８に示すように、本発明の第２の実施形態の高効率暖房機１１０は、外側ケースである筐体１１１の正面には高温の送出を行う排出口１２９が設けられ、筐体１１１の上面には電源スイッチや操作スイッチなどの操作盤１１４と使用する水を供給するとき使用する開閉蓋１１５とが設けられ、筐体１１１の側面には移動用の取手１１６が設けられ、筐体１１１の裏面には外部より空気の吸入を行う吸入口（図示せず）が設けられている。【００２１】  図９は、本発明の第２の実施形態の高効率暖房機の内部構造の図を示し、図９（ａ）は内部構造の正面図を示し、図９（ｂ）は内部構造の側面図を示す。
図９に示すように、本発明の高効率暖房機１１０は、外側ケースの筐体１１１の底面１１１ａに断面がコ字形の取付基台１２１が取り付けられ、取付基台１２１の上面には、使用する水を貯水する貯水タンク１２２と、貯水タンク１２２に貯留した水が供給され給水を行う給水タンク１２４と、給水タンク１２４より供給された水を貯留する箱状タンク１３１とが設置されている。貯水タンク１２２に使用する水を貯水するときには、図８に示す開閉蓋１１５を開きキャップ１２２ａを外し、給水を行う。【００２２】  箱状タンク１３１は、上面には箱状タンク１３１と内部で連通すると共に箱状タンク１３１を貫通した２個の過熱水蒸気発生ユニット１３０が横方向に沿って設けられている。過熱水蒸気発生ユニット１３０には、送風ダクト１２５が被せられている。送風ダクト１２５は、前面方向Ｆと裏面方向Ｒとが開口し、前面方向Ｆに送風を行うことができ、内側には送風源である電動ファン１２６が設けられている。電動ファン１２６より発生したエアーＥにより、過熱水蒸気発生ユニット１３０よりの高温の過熱水蒸気Ｋは前面方向Ｆに送出される。
送風ダクト１２５は、垂直ダクト部１２５ａと水平ダクト部１２５ｂとから形成され、水平ダクト部１２５ｂの前面方向Ｆには排出口１２９が設けられている。排出口１２９の排出面は、碁盤形状、縦縞形状、横縞形状などとすることができ、排出面には発熱体となる塗料を塗布し、発熱効果を高めることができる。【００２３】  貯水タンク１２２と給水タンク１２４とは、連結管１２３により連結され、給水タンク１２４に設置したフロート（図示せず）により連結管１２３に取付けた電磁弁１２３ａが開閉し、給水タンク１２４は水面が一定に制御される。給水タンク１２４と箱状タンク１３１とは連結管１３２ｂにより連結され、給水タンク１２４から箱状タンク１３１に給水が行はれる。
取付基台１２１の上面に設置された箱状タンク１３１は、ネジ１２１ａにより固定されている。【００２４】  過熱水蒸気発生ユニット１３０は、図３に示す第１の実施例の過熱水蒸気発生ユニット３０と同様のものを使用することができる。また、図６に示すす第１の実施例の外側外筒部３９と同様のものを装着することができる。【００２５】  以上述べたように、本発明の高効率暖房機１１０は、貯留した水の給水を行う給水タンク１２４と、給水タンク１２４より供給される水を貯留する箱状タンク１３１と、箱状タンク１３１に複数設けられ、箱状タンク１３１より押し上げられた水より発生させた水蒸気を螺旋状に移動させて過熱し過熱水蒸気を発生する過熱水蒸気発生ユニット１３０とを設け、過熱水蒸気を外部に送出することとしたため、簡潔構造で環境に優しく高効率で高温の送出を行うことができる。
また、過熱水蒸気発生ユニット１３０には、螺旋形状の加熱管の下側に沿って当接して水蒸気を螺旋状にガイドする第１の実施例と同様の水蒸気過熱ガイド板を設けているため、発生した水蒸気をまんべんなく効率的に過熱し過熱水蒸気を得ることができ、環境に優しく高効率で高温の送出を行う簡潔構造の高効率暖房機とすることができる。
さらに、第１の実施例と同様の外側外筒部が設けられているため、外側外筒部との間にできた隙間から、まんべんなく過熱水蒸気を送出することができる。
なお、本発明の高効率暖房機１１０は、２個の過熱水蒸気発生ユニット１３０を箱状タンク１３１に一体として設けることとしたが、これに限定することなく、複数個を設けるようにすることもできる。
【産業上の利用可能性】
【００２６】  本発明の高効率暖房機は、家庭用や工場用などに使用することができるが、ビニールハウスなどにも幅広く適用することができる。
【符号の説明】
【００２７】１０、１１０  高効率暖房機
２２、１２２  貯水タンク
２４、１２４  給水タンク
２５、１２５  送風ダクト
２６、１２６  電動ファン
３０、１３０  過熱水蒸気発生ユニット
３１  環状タンク
３２  外筒部
３３  環状容器
３４  螺旋形状の加熱管
３５、３８  水蒸気過熱ガイド板
３６  貫通穴
３９  外側外筒部
１３１  箱状タンク
【図１】
2012159279.tif 000003
【図２】
2012159279.tif 000004
【図３】
2012159279.tif 000005
【図４】
2012159279.tif 000006
【図５】
2012159279.tif 000007
【図６】
2012159279.tif 000008
【図７】
2012159279.tif 000009
【図８】
2012159279.tif 000010
【図９】
2012159279.tif 000011